(57)【要約】【課題】手の擦り動作による記録媒体の位置ずれの発生を防止しつつ、必要に応じて、記録媒体の載置面上で当該記録媒体を容易に滑らせることが可能な手書き入力装置、筆記用ボードおよび筆記補助シートを提供する。【解決手段】手書き入力装置は、記録媒体を載置可能な載置面と、載置面上の記録媒体に対して筆記具で記入された内容に相当する情報を検出する検出部とを備える。載置面は、記録媒体に対する滑りやすさの度合いが載置面上の相反する２方向で異なる。【選択図】図１
2016085557.tif 000002
【特許請求の範囲】
【請求項１】
記録媒体を載置可能な載置面と、
前記載置面上の前記記録媒体に対して筆記具で記入された内容に相当する情報を検出する検出部と、を備え、
前記載置面は、前記記録媒体に対する滑りやすさの度合いが前記載置面上の相反する２方向で異なる、
手書き入力装置。
【請求項２】
前記載置面は、前記相反する２方向で異なる大きさの摩擦力を前記記録媒体との間に生じさせる微細構造を有する、
請求項１に記載の手書き入力装置。
【請求項３】
前記微細構造は、全てが同じ向きに形成される、
請求項２に記載の手書き入力装置。
【請求項４】
前記載置面は、前記載置面上の相反する２方向で異なる大きさの摩擦力を前記記録媒体との間に生じさせる微細構造を、前記載置面内の第１および第２の領域にそれぞれ有し、前記第１の領域での前記微細構造の向きと前記第２の領域での前記微細構造の向きは、互いに異なる、
請求項１または２に記載の手書き入力装置。
【請求項５】
前記微細構造は、前記載置面上の第１の前記相反する２方向で異なる大きさの摩擦力を前記記録媒体との間に生じさせ、前記載置面上の第２の前記相反する２方向で異なる大きさの摩擦力を前記記録媒体との間に生じさせる、
請求項２〜４の何れか１項に記載の手書き入力装置。
【請求項６】
前記載置面は、滑りやすさの度合いが前記相反する２方向で異なる大きさとなる第１の形状の微細構造を有する第１の区域と、滑りやすさの度合いが前記載置面上の全方向で抑制される第２の形状の微細構造を有する第２の区域と、を備える、
請求項１〜５の何れか１項に記載の手書き入力装置。
【請求項７】
板状の本体を備える筆記用ボードであって、
前記本体は、記録媒体を載置可能な載置面を備え、
前記載置面は、前記記録媒体に対する滑りやすさの度合いが前記載置面上の相反する２方向で異なる、
筆記用ボード。
【請求項８】
フィルム状の本体を備える筆記補助シートであって、
前記本体は、記録媒体を載置可能な載置面を備え、
前記載置面は、前記記録媒体に対する滑りやすさの度合いが前記載置面上の相反する２方向で異なる、
筆記補助シート。
【発明の詳細な説明】
【技術分野】
【０００１】
本発明は、手書き入力装置、筆記用ボードおよび筆記補助シートに関する。
【背景技術】
【０００２】
近年、例えばペンを用いて用紙に手書きで記入された内容を、記入と同時に電子化し、電子化した電子データと当該用紙に対応する電子フォームとを合成することによって、手書きされた用紙と同じ電子文書データを作成可能な手書き入力装置が提案されている（例えば、特許文献１を参照）。この手書き入力装置は、デジタイザを備えており、デジタイザ上に載置された用紙にペンによる記入が行われると、デジタイザがペンの押圧を検知し、当該押圧を検知した位置の移動軌跡を電子データとして入力することができる。
【０００３】
このような手書き入力装置では、用紙に記入が行われるときに手の擦り動作による用紙の位置ずれの発生を防止するため、用紙の上端部をクリップ等の固定具で固定する手段が取られている。しかし、固定具から離れた位置であるほど、その位置に対する手の擦り動作によって用紙の位置ずれが生じやすいという問題があった。その問題に対して、用紙の外周全体を固定具で固定する構成が考えられるが、その構成を採用した場合には、用紙に手書き入力を行うときに、手や腕が固定具に当たってしまう可能性が高くなるという別の問題があった。
【０００４】
そこで、用紙の上端部を固定具で固定し、用紙載置面を摩擦係数の高いシート部材で覆う技術が提案されている（例えば、特許文献２を参照）。特許文献１には、用紙を載置可能な載置部に載置された用紙の上端部を拘束する押圧バネと、載置部のうち押圧バネによる拘束位置近傍を除く部位に設けられ、用紙に対し左右方向への摩擦力を作用させることで載置部からの離脱を抑制する摩擦力付与用のフィルムと、を有する電子筆記装置が開示されている。
【先行技術文献】
【特許文献】
【０００５】
【特許文献１】特開２００７−３０５１０９号公報
【特許文献２】特開２０１３−０５７９８９号公報
【発明の概要】
【発明が解決しようとする課題】
【０００６】
特許文献２に記載の技術によれば、用紙の用紙載置面上における位置ずれの発生を防止することができる。しかしながら、ただ単純に用紙載置面を摩擦係数の高いフィルムで覆って用紙との摩擦抵抗を高くするだけでは次のような問題があった。すなわち、電子筆記装置に設けられた突き当て部に用紙の一端部を突き当てて載置部に当該用紙を載置したり、載置されている用紙をめくって新しい用紙と交換したりする動作、つまりフィルム表面上で、載置されている用紙を滑らせる動作が必要となる場合には、用紙に対するフィルムの摩擦抵抗が高いために、却って当該用紙を滑らせることが困難となるという問題があった。
【０００７】
本発明の目的は、手の擦り動作による記録媒体の位置ずれの発生を防止しつつ、必要に応じて、記録媒体の載置面上で当該記録媒体を容易に滑らせることが可能な手書き入力装置、筆記用ボードおよび筆記補助シートを提供することである。
【課題を解決するための手段】
【０００８】
本発明に係る手書き入力装置は、
記録媒体を載置可能な載置面と、
前記載置面上の前記記録媒体に対して筆記具で記入された内容に相当する情報を検出する検出部と、を備え、
前記載置面は、前記記録媒体に対する滑りやすさの度合いが前記載置面上の相反する２方向で異なる。
【０００９】
本発明に係る筆記用ボードは、
板状の本体を備える筆記用ボードであって、
前記本体は、記録媒体を載置可能な載置面を備え、
前記載置面は、前記記録媒体に対する滑りやすさの度合いが前記載置面上の相反する２方向で異なる。
【００１０】
本発明に係る筆記補助シートは、
フィルム状の本体を備える筆記補助シートであって、
前記本体は、記録媒体を載置可能な載置面を備え、
前記載置面は、前記記録媒体に対する滑りやすさの度合いが前記載置面上の相反する２方向で異なる。
【発明の効果】
【００１１】
本発明によれば、手の擦り動作による記録媒体の位置ずれの発生を防止しつつ、必要に応じて、記録媒体の載置面上で当該記録媒体を容易に滑らせることができる。
【図面の簡単な説明】
【００１２】
【図１】実施の形態１における手書き入力装置の全体構成を概略的に示す図である。
【図２】実施の形態１における手書き入力装置の制御系の主要部を示す図である。
【図３】実施の形態１における微細構造を示す図である。
【図４】実施の形態１における微細構造を構成する四面体とその変形例を示す図である。
【図５】実施の形態１における微細構造が設けられる載置面上の領域を説明する図である。
【図６】実施の形態１における微細構造が設けられる載置面上の領域の他の例を説明する図である。
【図７】実施の形態１における微細構造の他の例を示す図である。
【図８】実施の形態１における微細構造のさらに他の例である五面体および六面体を示す図である。
【図９】実施の形態１のさらに他の変形例における微細構造が設けられる載置面上の領域を説明する図である。
【図１０】実施の形態１に部分的に用いることができる微細構造の他の例を示す図である。
【図１１】実施の形態１における微細構造を構成する六面体を示す図である。
【図１２】実施の形態１における微細構造が設けられる載置面上の領域を説明する図である。
【図１３】実施の形態２における筆記用ボードの構成を示す図である。
【図１４】実施の形態３における筆記補助シートの構成を示す図である。
【発明を実施するための形態】
【００１３】
以下、本発明の実施の形態を図面に基づいて詳細に説明する。
【００１４】
（実施の形態１）
図１は、実施の形態１における手書き入力装置１０の全体構成を概略的に示す図である。図２は、本実施の形態における手書き入力装置１０の制御系の主要部を示す。図１、２に示す手書き入力装置１０は、各部の制御を行うための制御部１１と、外部機器との間で各種情報を送受信するための通信Ｉ／Ｆ部１２と、感圧式のタッチパネル１３と、タッチパネル１３の表面上に貼り付けられたシート部材１４と、シート部材１４上に記録媒体としての用紙３０を保持するためのクリップ等の保持部１５とを備える。図１Ａに示すように、ユーザーは、例えばボールペンのようなペン２０を用いて、シート部材１４上に載置された用紙３０に手書きで記入する。タッチパネル１３は、ペン２０の押圧を検知し、図１Ｂに模式的に示したように、当該押圧を検知した位置の移動軌跡を示す手書き情報１６を生成し、電子データとして記憶部１１ｄに入力したり、通信Ｉ／Ｆ部１２を通じて外部の端末等に入力する。
【００１５】
制御部１１は、ＣＰＵ（Central Processing Unit）１１ａと、ＲＯＭ（Read Only Memory）１１ｂやＲＡＭ（Random Access Memory）１１ｃなどのメモリと、ＨＤＤ（Hard Disk Drive）やＳＳＤ（Solid State Drive）、ＳＤ（Secure Digital）カードなどの記憶部１１ｄとを備えて構成される。ＣＰＵ１１ａは、ＲＯＭ１１ｂや記憶部１１ｄに記憶したプログラムをＲＡＭ１１ｃに展開して実行し、手書き入力装置１０の全体制御を行う。また、ＲＡＭ１１ｃは、用紙３０に手書きで記入が行われた際に、手書き情報１６を記憶する入力バッファとしても機能する。制御部１１は、記憶部１１ｄに記憶した入力判定プログラムに基づき、タッチパネル１３により検知されたペン２０の押圧の位置軌跡、強度（筆圧）および範囲から用紙３０に記入された内容を特定する。
【００１６】
通信Ｉ／Ｆ部１２は、ＮＩＣ（Network Interface Card）やモデム等であり、Ethernet（登録商標）やＮＦＣ（Near Field Communication）、Bluetooth（登録商標）、TransferJet（登録商標）等の規格に従って、有線や無線により、手書きデータの転送先のコンピューター装置等との通信を可能にする。
【００１７】
感圧式のタッチパネル１３は、例えば、デジタルマトリクス抵抗膜式のタッチパネルであり、用紙３０の上からのペン２０による押圧を検知して、ユーザーによる筆記具を用いた記入動作により、タッチパネル１３の載置面（本例では、シート部材１４の表面）上に載置された用紙３０に記入された文字や図形等に対応する情報の入力を受ける。すなわちタッチパネル１３は、用紙３０に手書きで記入が行われるとき、その記入内容を検出する検出部として機能する。なお、本実施の形態では、感圧式のタッチパネル１３を用いる例について説明するが、記入された内容を検出する方式は圧力検出方式に限らず、赤外線光学イメージング方式、超音波方式、赤外線／超音波検出方式、電磁誘導方式等であっても良い。本実施の形態では、タッチパネル１３の方式が感圧式、より具体的にはデジタルマトリクス抵抗膜式であるため、ボールペン等のような一般的な筆記用具を用いても、用紙３０への記入動作を検出することができる。また、押圧部の面積や押圧力を検知することで接触体の種類を推定することができ、鉛筆・指・消しゴム等の判別を行うことができる。すなわち、用紙３０への記入に使用可能な道具は必ずしも一般的な筆記用具に限られず、タッチパネル１３の方式や手書き入力装置１０の用途等に応じて適宜に選択可能である。なお、本実施の形態において、「記入動作」とは、文字や図形等の情報が実際に入力される動作のみに限定されず、例えば消しゴムを用いて文字や図形等の情報が消される動作も含むものとする。
【００１８】
保持部１５は、シート部材１４上に用紙３０を保持する。より具体的には、保持部１５は、その一端に設けられた回転軸が手書き入力装置１０の筐体に固定され、バネや保持部１５の材料が有する撓み性等により、他端が回動して用紙３０を押圧するように構成されている。用紙３０を交換する場合は、保持部１５の他端に設けた開口部に指を入れて持ち上げるように保持部１５を回動させる。保持部１５は、その一端が手書き入力装置１０の筐体に固定される構成に限らず、磁石等を用いて用紙３０を保持する構造としても良い。
【００１９】
シート部材１４は、例えばＰＥＴ（ポリエチレンテレフタラート）からなる基材上に例えば、紫外線硬化樹脂等のエネルギー硬化樹脂が塗布されたフィルム部材である。シート部材１４のサイズは、タッチパネル１３の表面サイズと同等である。タッチパネル１３の表面上に貼り付けられたシート部材１４の上面は、用紙３０を載置可能な載置面となる。シート部材１４の載置面は、滑りやすさの度合いが載置面上の相反する２方向で異なる大きさとなるように構成される。より具体的には、載置面は、相反する２方向で異なる大きさの摩擦力を用紙３０との間に生じさせる微細構造を有する。
【００２０】
記録媒体としては、普通紙やコート紙などの用紙のほか、樹脂製シートなどを用いることができる。記録媒体に筆記するための筆記具としては、鉛筆、シャープペンシル、ボールペン、サインペン、マジックインキなどを用いることができる。筆記材料が、黒鉛や消去可能インクである場合は、記録媒体上に記録された文字や図形等を消しゴムで消去することができる。この際に、消しゴムによる消去動作であることを認識し、タッチパネル１３で消しゴムの移動軌跡を検出することで、手書きデータから消しゴムの移動軌跡に対応した部分を消去するように構成することができる。
【００２１】
以下、微細構造の形状や配置に関する幾つかの具体例について、図３〜１２を用いて説明する。
【００２２】
微細構造は、図３に示すように、縦断面形状が扇形である複数の非対称な構造体４０（この構造体は底面を含めて４つの平面と１つの曲面を含むため、以下、四面体４０と称する）が格子状、かつ、同じ向きに配置されることによって形成される。ここで、構造体４０の向きとは、構造体４０の並ぶ平面において、構造体４０の中心から非対称を生じさせている部位（ここでは、円弧部分）に向かう方向を意味する。各四面体４０の配置間隔ｄは、例えば１０〜３０［μｍ］である。シート部材１４に対して微細構造を形成する方法としては、例えば、当該微細構造に対応するネガ形状が形成された成形型を、シート部材１４を構成するエネルギー硬化樹脂に押し当てエネルギーを付与して硬化させることによって、当該微細構造を転写して形成する方法が挙げられる。以下の説明では、シート部材１４の延在する平面においてｘ方向とそれに直交するｙ方向を定め、当該平面に垂直な方向をｚ方向と定める。
【００２３】
四面体４０におけるｘ方向の長さ（図４Ａ参照）は、例えば１０〜３０［μｍ］である。また、四面体４０におけるｙ方向の長さ（図４Ａ参照）は、例えば５〜１０［μｍ］である。また、四面体４０におけるｚ方向の長さ（図４Ａ参照）は、例えば５〜１０［μｍ］である。なお、微細構造の配置間隔ｄ、ｘ方向長さ、ｙ方向長さおよびｚ方向長さは、必ずしもこれらの数値範囲に限定されるものではなく、用紙３０への記入のしやすさに悪影響を与えず、かつ、滑りやすさ（つまり摩擦力の強度）の調整が可能であれば、上記範囲外の数値でも良い。
【００２４】
図４Ｂは、シート部材１４の載置面（タッチパネル１３としての載置面でもある）に用紙３０が載置された場合において、当該載置面に形成された微細構造を構成する四面体４０が用紙３０との間に生じさせる摩擦力の大きさを説明する模式図である。図４Ｂに示すように、四面体４０の、円弧部分４０ｂとは反対側にある壁面部分４０ａ乃至円弧部分４０ｂに接続する角部では、用紙３０は引っかかりやすくなるため、矢印Ｂ方向（壁面部分４０ａ側から円弧部分４０ｂ側に向かう方向）において用紙３０との間に生じさせる摩擦力は大きくなる。その結果、用紙３０の矢印Ｂ方向における移動は抑制される。一方、四面体４０の円弧部分４０ｂでは用紙３０に滑らかに接触するため、矢印Ｂ方向とは逆の矢印Ａ方向において用紙３０との間に生じさせる摩擦力は小さくなる。その結果、用紙３０の矢印Ａ方向における移動は促進される。つまり、図３に示すように、シート部材１４の載置面に形成された複数の四面体４０から構成される微細構造は、当該載置面内の矢印Ａ方向および矢印Ｂ方向すなわち相反する２方向で異なる大きさの摩擦力を用紙３０との間に生じさせる異方性を有する。
【００２５】
なお、微細構造の形状は、図４Ｃに示すように、縦断面形状が三角形状であっても良い。要は、微細構造を構成する四面体の断面形状は、相反する２方向のうち一方向における用紙３０の移動を抑制する部分と、当該相反する２方向のうち他方向における用紙３０の移動を比較的抑制しない（言い換えれば、「促進する」）部分とを有する形状であれば良い。
【００２６】
次に、図５Ａを参照し、シート部材１４の載置面において微細構造が形成される領域について説明する。微細構造は、シート部材１４の載置面における左上端領域、上端領域、右上端領域、左側端領域、右側端領域、左下端領域、下端領域および右下端領域に設けられる。そのうち、左側端領域、右側端領域、左下端領域、下端領域および右下端領域に形成される微細構造を構成する四面体４０はそれぞれ、矢印ｄ方向（シート部材１４の左側端から中心に向かう方向），矢印ｅ方向（シート部材１４の右側端から中心に向かう方向），矢印ｆ方向（シート部材１４の左下端から中心に向かう方向），矢印ｇ方向（シート部材１４の下端から中心に向かう方向），矢印ｈ方向（シート部材１４の右下端から中心に向かう方向）において用紙３０との間に生じさせる摩擦力が小さくなり、かつ、矢印ｄ，ｅ，ｆ，ｇ，ｈ方向の逆方向において用紙３０との間に生じさせる摩擦力が大きくなるような向きで形成される。図５Ａには、四面体４０の上記各領域について、それぞれの矢印方向における縦断面を模式的に示している。図５Ｂは、図５ＡのＡ−Ａ断面を示す模式図である。図５Ｂに示すように、シート部材１４の載置面において、左側端領域に形成された四面体４０の円弧部分は矢印ｅ方向を向き、右側端領域に形成された四面体４０の円弧部分は矢印ｄ方向を向く。以上のように、シート部材１４の載置面は、載置面上の相反する２方向で異なる大きさの摩擦力を用紙３０との間に生じさせる微細構造（以下、「異方性微細構造」ともいう）を、載置面内の第１および第２の領域にそれぞれ有し、第１の領域での微細構造の向きと第２の領域での微細構造の向きは、互いに異なる。
【００２７】
ここで、図５Ａから分かるように、「矢印ｄ，ｅ，ｆ，ｇ，ｈ方向」および「矢印ｄ，ｅ，ｆ，ｇ，ｈ方向の逆方向」は、それぞれ纏めて端的に言えば、「内向き方向」および「外向き方向」である。シート部材１４の左側端領域、右側端領域、左下端領域、下端領域および右下端領域での外向き方向は、用紙３０に手書きで記入が行われるときに、手の擦り動作によって用紙３０の位置ずれが発生しやすい方向である。すなわち、これらの領域では、外向き方向において微細構造と用紙３０との間に生じる摩擦力が大きくなり、用紙３０の横および下方向の位置ずれの発生を防止することができる。また、これらの領域での内向き方向は、載置されている用紙３０を新しい用紙３０と交換するために用紙３０を捲る方向、つまりシート部材１４の載置面で用紙３０を滑らせる方向である。すなわち、これらの領域では、内向き方向において微細構造と用紙３０との間に生じる摩擦力が小さくなり、例えば、図５Ｃに示すように、親指で用紙３０の下端のコーナー部を押すようにして、用紙３０を容易に捲って交換することができる。
【００２８】
また、シート部材１４の載置面における左上端領域、上端領域および右上端領域に形成される微細構造を構成する四面体４０はそれぞれ、外向き方向、つまり、矢印ａ方向（シート部材１４の中心から左上端に向かう方向），矢印ｂ方向（シート部材１４の中心から上端に向かう方向），矢印ｃ方向（シート部材１４の中心から右上端に向かう方向）において用紙３０との間に生じさせる摩擦力が小さくなり、かつ、矢印ａ，ｂ，ｃ方向の逆方向（内向き方向）において用紙３０との間に生じさせる摩擦力が大きくなるような向きで形成される。これらの領域において、内向き方向は、用紙３０に手書きで記入が行われるときに、手の擦り動作によって保持部１５による用紙３０の保持が外れる方向である。すなわち、これらの領域では、内向き方向において微細構造と用紙３０との間に生じる摩擦力が大きくなり、保持部１５による用紙３０の保持が外れることを防止することができる。また、これらの領域での外向き方向は、用紙３０を交換して新たな用紙３０を保持部１５に保持させる際に新たな用紙３０を保持部１５に差し込むために移動させる方向、つまりシート部材１４の載置面で用紙３０を滑らせる方向である。これらの領域では、外向き方向において微細構造と用紙３０との間に生じる摩擦力が小さくなり、保持部１５に用紙３０を容易に保持させることができる。なお、図５を参照し、シート部材１４の載置面における複数の領域に微細構造が形成される例について説明したが、当該微細構造の形成領域は、図示された複数の領域の全てでなくても良く、例えばこれらの領域のうちの１つでも良い。また、手書き入力装置１０の用途等によっては、微細構造が形成される全ての領域において、全ての微細構造の向きが同一となっていても良い。次に、用紙載置面の一部のみに異方性微細構造を設ける例について説明する。
【００２９】
図６Ａに示すように、手書き入力装置１０において、用紙３０を保持部１５に保持させる際に用紙３０の左上端部を突き当てるための突き当て部１８をシート部材１４の左上端部の外側に設けた場合には、シート部材１４の左上端領域、より具体的には扇状の斜線領域１９に微細構造を形成する、特に有利である。微細構造を構成する四面体４０は、矢印ａ方向（シート部材１４の中心から左上端に向かう方向）において用紙３０との間に生じる摩擦力が小さくなり、かつ、その逆方向において用紙３０との間に生じる摩擦力が大きくなるような向きで形成される。このように構成することにより、用紙３０の左上端部を突き当て部１８に突き当てる際、外向きの矢印ａ方向においてシート部材１４の載置面で用紙３０を容易に滑らせることができるため、突き当て部１８に対する用紙３０の突き当て動作を容易に行うことができる。
【００３０】
また、図６Ｂに示すように、手書き入力装置１０において、シート部材１４の左側端領域付近に保持部１５を設け、さらに、用紙３０を保持部１５に保持させる際に用紙３０の左側端部を突き当てるための突き当て部１８をシート部材１４の左側端部の外側に設けた場合には、シート部材１４の左側端領域、より具体的にはシート部材１４の左端部から全体の１／３程の領域に相当する斜線領域１９に微細構造を形成することが好ましい。微細構造を構成する四面体４０は、矢印ｉ方向（シート部材１４の中心から左端側に向かう方向）において用紙３０との間に生じる摩擦力が小さくなり、かつ、その逆方向において用紙３０との間に生じる摩擦力が大きくなるような向きで形成される。このように構成することにより、用紙３０の左側端部を突き当て部１８に突き当てる際、外向きの矢印ｉ方向においてシート部材１４の載置面で用紙３０を容易に滑らせることができるため、突き当て部１８に対する用紙３０の突き当て動作を容易に行うことができる。
【００３１】
図７は、シート部材１４の載置面において、載置面上の第１の相反する２方向である矢印Ａ方向（緩やかな傾斜面からその反対側にある急峻な面）および矢印Ｂ方向（矢印Ａ方向の逆方向）で異なる大きさの摩擦力を用紙３０との間に生じさせ、載置面上の第２の相反する２方向である矢印Ｃ方向（第２の緩やかな傾斜面からその反対側にある第２の急峻な面）および矢印Ｄ方向（矢印Ｃ方向の逆方向）で異なる大きさの摩擦力を用紙３０との間に生じさせる微細構造が形成される例を示している。この微細構造は、複数の構造体４４（底面も含めて５つの平面で構成されるため、以下、五面体４４と称する）が格子状、かつ、同じ向きに配置されることによって形成される。五面体４４間の配置間隔ｄは、例えば１０〜３０［μｍ］である。
【００３２】
図７に示すように、矢印Ａ方向において微細構造と用紙３０との間に生じる摩擦力は小さくなり、用紙３０の矢印Ａ方向における移動は促進される。また、矢印Ｂ方向において微細構造と用紙３０との間に生じる摩擦力は大きくなり、用紙３０の矢印Ｂ方向における移動は抑制される。また、矢印Ｃ方向において用紙３０との間に生じる摩擦力は小さくなり、用紙３０の矢印Ｃ方向における移動は促進される。また、矢印Ｄ方向において用紙３０との間に生じる摩擦力は大きくなり、用紙３０の矢印Ｄ方向における移動は抑制される。すなわち、シート部材１４の載置面に形成された複数の五面体４４を含む微細構造は、当該載置面内の矢印Ａ方向および矢印Ｂ方向（相反する２方向）で異なる大きさの摩擦力を用紙３０との間に生じさせ、当該載置面内の矢印Ｃ方向および矢印Ｄ方向すなわち相反する２方向で異なる大きさの摩擦力を用紙３０との間に生じさせる異方性を有する。
【００３３】
五面体４４におけるｘ方向（図８Ａ参照）の長さは、例えば１０〜３０［μｍ］である。また、五面体４４におけるｙ方向（図８Ａ参照）の長さは、例えば５〜１０［μｍ］である。また、五面体４４におけるｚ方向（図８Ａ参照）の長さは、例えば５〜１０［μｍ］である。また、五面体４４を構成する第１の急峻な面４４ａについて、シート部材１４の載置面に対するｒ１方向の角度は、例えば９０[°]である。また、五面体４４を構成する第１の緩やかな傾斜面４４ｂについて、シート部材１４の載置面に対するｒ２方向の角度は、例えば１６０[°]である。また、五面体４４を構成する第２の緩やかな傾斜面４４ｃについて、シート部材１４の載置面に対するｒ３方向の角度は、例えば１６０[°]である。また、五面体４４を構成する第２の急峻な面４４ｄについて、シート部材１４の載置面に対するｒ４方向の角度は、例えば９０［°］である。なお、これらの角度等、五面体４４の形状は、Ａ方向およびＢ方向で異なる大きさの摩擦力を生じさせ、かつ、Ｃ方向およびＤ方向で異なる大きさの摩擦力を生じさせることができれば、如何なる形状であっても良い。
【００３４】
例えば、図８Ａに示す五面体４４の頂上に平面部を形成し、図８Ｂに示す六面体４６としても良い。
【００３５】
次に、図９を参照し、シート部材１４の載置面において、複数の五面体４４から構成される微細構造が形成される領域について説明する。用紙３０に手書きで記入が行われるときに、保持部１５から離れた位置であるほど、その位置に対する手４９の擦り動作によって用紙３０の位置ずれが生じやすい。よって、シート部材１４の載置面における右側端領域、下端領域および右下端領域に微細構造を形成することが好適である。右側端領域、下端領域および右下端領域に形成される微細構造を構成する五面体４４はそれぞれ、図９中の右方向および下方向において用紙３０との間に生じる摩擦力が大きくなるような向きで形成される。図９には、右側端領域、下端領域および右下端領域における五面体４４を上から見た形状を模式的に図示してある。
【００３６】
その結果、用紙３０に手書きで記入が行われるときに、シート部材１４の載置面における右側端領域、下端領域および右下端領域では、手４９の擦り動作によって用紙３０の位置ずれが発生しやすい方向である図９中の右方向および下方向において用紙３０との間に生じる摩擦力が大きくなり、用紙３０の横ずれおよび下ずれの発生を防止することができる。なお、図９に示す構成例は、右利き用の構成として好適である。図９に示す構成を左右反転させれば、左利き用の構成として好適な構成を得ることができる。
【００３７】
図１０は、シート部材１４の載置面において、滑りやすさの度合いが載置面上において、全方向的に抑制される微細構造が形成される例を示している。この微細構造は、複数の六面体４８を格子状、かつ、同じ向きに配置することによって形成される。六面体４８間の配置間隔ｄは、例えば１０〜３０［μｍ］である。
【００３８】
図１０に示すように、矢印Ａ，Ｂ，Ｃ，Ｄ方向において用紙３０との間に生じる摩擦力は大きくなり、延いては、用紙３０の矢印Ａ，Ｂ，Ｃ，Ｄ方向を含む全ての方向における移動は抑制される。すなわち、シート部材１４の載置面に形成された複数の六面体４８からなる微細構造は、当該載置面内における全ての方向において同等の大きさの摩擦力を用紙３０との間に生じさせる等方性を有する。
【００３９】
六面体４８におけるｘ方向（図１１Ａ参照）の長さは、例えば５〜１５［μｍ］である。また、六面体４８におけるｙ方向（図１１Ａ参照）の長さは、例えば５〜１５［μｍ］である。また、六面体４８におけるｚ方向（図１１Ａ参照）の長さは、例えば５〜１０［μｍ］である。
【００４０】
次に、図１２を参照し、シート部材１４の載置面において、複数の六面体４８から構成される微細構造が形成される領域について説明する。図１２Ａに示すように、シート部材１４の載置面における中心領域に、載置面の全方向における用紙３０の移動を抑制するように複数の六面体４８を形成することが好適である。その理由は、記入動作は通常、シート部材１４の載置面における中心領域において行われるため、この中心領域では載置面の全方向において用紙３０との間に生じる摩擦力を大きくし、手の擦り動作による用紙３０の位置ずれの発生を全方向において防止することが好ましいからである。中心領域以外の部位は、図５で説明したのと同様に四面体４０が配置されている。図１２Ｂは、図１２ＡのＡ−Ａ断面図である。図１２Ｂに示すように、シート部材１４の載置面において、左側端領域および右側端領域には複数の四面体４０から構成される微細構造が形成される一方、中心領域には複数の六面体４８から構成される微細構造が形成される。以上のように、シート部材１４の載置面は、滑りやすさの度合いが相反する２方向で異なる大きさとなる第１の形状の微細構造を有する第１の区域に相当する左上端領域、上端領域、右上端領域、左側端領域、右側端領域、左下端領域、下端領域および右下端領域と、滑りやすさの度合いが載置面上の全方向で抑制される第２の形状の微細構造を有する第２の区域に相当する中心領域とを備える。
【００４１】
以上詳しく説明したように、本実施の形態では、手書き入力装置１０は、用紙３０を載置可能な載置面と、載置面上の用紙３０に手書きで記入が行われるとき、その記入内容を検出するタッチパネル１３とを備える。載置面は、滑りやすさの度合いが載置面上の相反する２方向で異なる大きさとなるように構成される。
【００４２】
このように構成した本実施の形態によれば、載置面上の相反する２方向のうち一方向において用紙３０との間に生じる摩擦力が小さくなり、用紙３０の当該一方向における移動は促進される一方、当該相反する２方向のうち他方向において用紙３０との間に生じる摩擦力が大きくなり、用紙３０の当該他方向における移動は抑制される。よって、用紙３０に手書きで記入が行われるときに手の擦り動作による用紙３０の位置ずれが発生しやすい方向において用紙３０との間に生じる摩擦力を増大させる一方、当該載置面で用紙３０を滑らせる動作が必要となるときに用紙３０を滑らせる方向において用紙３０との間に生じる摩擦力を減少させることができる。以上より、手の擦り動作による用紙３０の位置ずれの発生を防止しつつ、必要に応じて、用紙３０の載置面上において用紙３０を容易に滑らせることができる。
【００４３】
なお、上記実施の形態において、シート部材１４の載置面に形成される異方性微細構造は、載置面上の３つ以上の相反する２方向のそれぞれで、異なる大きさの摩擦力を用紙３０との間に生じさせても良い。
【００４４】
また、上記実施の形態では、異方性微細構造がシート部材１４の載置面に形成される例について説明した。このようにすると、タッチパネル１３を構成する部材の材質の選択自由度に制約が生じないので、手書き入力装置を容易に実現することができ好ましい。しかし、これに限るものではなく、当該異方性微細構造はタッチパネル１３の表面に形成されても良い。この場合、タッチパネル１３の表面上にシート部材１４を貼り付ける必要はなく、タッチパネル１３の表面が用紙３０を載置可能な載置面となる。この場合、構成が簡素化されるとともに、シート部材１４を配置する場合に比べて、タッチパネル１３の検出精度を高く保ちやすくなる。
【００４５】
（実施の形態２）
図１３は、実施の形態２における筆記用ボード５０の構成を概略的に示す図である。この筆記用ボード５０は主に、実施の形態１で説明したタッチパネル１３や制御部１１のように、用紙３０への記入内容を電子化するための構成を備えていない点で、実施の形態１の手書き入力装置１０と相違する。すなわち、筆記用ボード５０は、剛性を有する板状の本体５１を備え、その主面にはシート部材１４が貼り付けられており、このシート部材１４の表面が、用紙３０を載置可能な載置面５２となっている。本実施の形態では、シート部材１４に、異方性微細構造が形成されている。筆記用ボード５０は、載置面５２上に用紙３０を保持するためのクリップ等の保持部５４を備えるが、筆記用ボード５０の構成としては、保持部５４を省いた構成も採用可能である。
【００４６】
本実施の形態によれば、実施の形態１と同様の異方性微細構造が設けられるため、載置面上の相反する２方向のうち一方向において用紙３０との間に生じる摩擦力が小さくなり、用紙３０の当該一方向における移動は促進される一方、当該相反する２方向のうち他方向において用紙３０との間に生じる摩擦力が大きくなり、用紙３０の当該他方向における移動は抑制される。よって、実施の形態１と同様、手の擦り動作による用紙３０の位置ずれの発生を防止しつつ、必要に応じて、載置面上において用紙３０を容易に滑らせることができる。なお、成形や後加工によって、板状の本体５１の表面に異方性微細構造を設けるようにしてもよい。
【００４７】
（実施の形態３）
図１４は、実施の形態３における筆記補助シート６２の構成を概略的に示す図である。この筆記補助シート６２は主に、その本体が可撓性を有するフィルム状である点で、実施の形態２の筆記用ボードと相違する。この筆記補助シート６２は、下敷き部材６０（机面でも良い）と用紙３０との間に挟んで用いることが意図されている。よって、筆記補助シート６２は、表面が用紙３０を載置可能な載置面６２ａとなり、かつ、裏面（不図示）が下敷き部材６０または机面を向くように、構成される。すなわち、載置面６２ａとなる表面に、異方性微細構造が形成されている。下敷き部材６０または机面を向く裏面には、異方性微細構造が形成される必要はない。むしろ、裏面は、粘着層を設けるなどして下敷き部材６０や机面に対する密着性が向上するように構成されていることが好ましい。
【００４８】
本実施の形態によれば、実施の形態１、２と同様の異方性微細構造が設けられるため、載置面６２ａ上の相反する２方向のうち一方向において用紙３０との間に生じる摩擦力が小さくなり、用紙３０の当該一方向における移動は促進される一方、当該相反する２方向のうち他方向において用紙３０との間に生じる摩擦力が大きくなり、用紙３０の当該他方向における移動は抑制される。よって、実施の形態１、２と同様、手の擦り動作による用紙３０の位置ずれの発生を防止しつつ、必要に応じて、載置面６２ａ上において用紙３０を容易に滑らせることができる。なお、筆記補助シート６２を上述した手書き入力装置１０のタッチパネル１３や、筆記用ボード５０に貼り付けるシート部材１４として用いることもできる。
【００４９】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５０】
１０  手書き入力装置
１１  制御部
１１ａ  ＣＰＵ
１１ｂ  ＲＯＭ
１１ｃ  ＲＡＭ
１１ｄ  記憶部
１２  通信Ｉ／Ｆ部
１３  タッチパネル
１４  シート部材
１５，５４  保持部
１６  手書き情報
１８  突き当て部
１９  斜線部分
２０  ペン
３０  用紙
４０  四面体
４０ａ  直角部分
４０ｂ  円弧部分
４４  五面体
４４ａ，４４ｄ  急峻な面
４４ｂ，４４ｃ  緩やかな傾斜面
４６，４８  六面体
４９  手
５０  筆記用ボード
５２，６２ａ  載置面
６０  下敷き部材
６２  筆記補助シート
【図１】
2016085557.tif 000003
【図２】
2016085557.tif 000004
【図３】
2016085557.tif 000005
【図４】
2016085557.tif 000006
【図５】
2016085557.tif 000007
【図６】
2016085557.tif 000008
【図７】
2016085557.tif 000009
【図８】
2016085557.tif 000010
【図９】
2016085557.tif 000011
【図１０】
2016085557.tif 000012
【図１１】
2016085557.tif 000013
【図１２】
2016085557.tif 000014
【図１３】
2016085557.tif 000015
【図１４】
2016085557.tif 000016